【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
２層以上の情報記録層を有する光情報記録媒体にレーザビームによって記録を行なう情報記録方法において、光情報記録媒体の前記レーザビームの入射側から第２層目以降の情報記録層の記録時に、レーザビームの戻り光を検出し、該戻り光の検出レベルによって、前記レーザビームの記録パワーを制御することを特徴とする情報記録方法。
【請求項２】
２層以上であるｍ層の情報記録層を有する光情報記録媒体にレーザビームによって記録を行なう情報記録方法において、光情報記録媒体の前記レーザビームの入射側から第ｎ層目（ただし、２≦ｎ≦ｍ）の情報記録層の記録時に、レーザビームの戻り光を検出し、該戻り光の検出レベルと、第１層目から第（ｎ−１）層目までの情報記録層のレーザビームが透過するすべての部分が未記録状態である場合の記録レーザ光の最適な記録パワーによって、前記レーザビームの記録パワーを制御することを特徴とする情報記録方法。
【請求項３】
前記戻り光の検出レベルがピークレベルであることを特徴とする請求項１または２に記載の情報記録方法。
【請求項４】
前記戻り光の検出レベルがボトムレベルであることを特徴とする請求項１または２に記載の情報記録方法。
【請求項５】
前記戻り光の検出レベルが平均レベルであることを特徴とする請求項１または２に記載の情報記録方法。
【請求項６】
レーザ光源と、該レーザ光源から出射されたレーザビームを光情報記録媒体に照射する照射手段と、前記レーザビームの戻り光を検出する光検出手段と、制御部を有し、該制御部は、２層以上の情報記録層を有する光情報記録媒体の前記レーザビームの入射側から第２層目以降の情報記録層に記録を行なう際には、前記光検出手段の検出出力に基づいて、前記レーザビームの記録パワーを制御することを特徴とする情報記録装置。
【請求項７】
レーザ光源と、該レーザ光源から出射されたレーザビームを光情報記録媒体に照射する照射手段と、前記レーザビーム戻り光を検出する光検出手段と、制御部を有し、該制御部は、２層以上であるｍ層の情報記録層を有する光情報記録媒体の前記レーザビームの入射側から第ｎ層目（ただし、２≦ｎ≦ｍ）の情報記録層に記録を行なう際には、前記光検出手段の検出出力と、第１層目から第（ｎ−１）層目までの情報記録層のレーザビームが透過するすべての部分が未記録状態である場合の記録レーザ光の最適な記録パワーに基づいて、前記レーザビームの記録パワーを制御することを特徴とする情報記録装置。
【請求項８】
前記光検出手段が、ピークレベルを検出するものであることを特徴とする請求項６または７に記載の情報記録装置。
【請求項９】
前記光検出手段が、ボトムレベルを検出するものであることを特徴とする請求項６または７に記載の情報記録装置。
【請求項１０】
前記光検出手段が、平均レベルを検出するものであることを特徴とする請求項６または７に記載の情報記録装置。
【手続補正２】
【補正対象書類名】明細書
【補正対象項目名】０００８
【補正方法】変更
【補正の内容】
【０００８】
情報を記録することが可能な情報記録層を多層とした場合、次のような課題がある。例えば、片面から記録・再生が可能な２層ディスクとした場合、レーザビームの入射側に近い第１層目の情報記録層に情報を記録する場合は、従来の単層ディスクと同様の方法により情報を記録することができるから問題はない。しかし、第２層目の情報記録層に情報を記録する場合は、第１層目の情報記録層を透過した光で第２層目の情報記録層に情報の記録を行なうため、第１層目の情報記録層の透過率の影響を受ける。第１層目の情報記録層の透過率は、その状態（消去状態／記録状態）によって変化するから、第２層目の情報記録層に到達するビーム光量が第１層目の情報記録層の状態によって変化することになる。


【手続補正３】
【補正対象書類名】明細書
【補正対象項目名】００１２
【補正方法】変更
【補正の内容】
【００１２】
第２の情報記録層２５における記録パワーについて図６で説明する。情報記録媒体２１の第２の情報記録層２５に情報を記録する場合、基板２２を介して、記録する情報に応じて記録パワーが変調された記録レーザ光２６を第２の情報記録層２５に照射する。記録レーザ光２６は、第２の情報記録層２５上に焦点を結ぶよう制御される。このとき、記録レーザ光２６は、第１の情報記録層２３を透過して第２の情報記録層２５に到達するため、記録レーザ光２６が照射されている部分（スポット２７）の第１の情報記録層２３の状態により、第２の情報記録層２５に到達する記録レーザ光２６の光量が変化することになる。


【手続補正４】
【補正対象書類名】明細書
【補正対象項目名】００１３
【補正方法】変更
【補正の内容】
【００１３】
図７は、図６において、記録レーザ光２６により第２の情報記録層２５に情報を記録する際に、第１の情報記録層２３における記録レーザ光２６が照射されている領域（スポット２７）の状態を示す説明図である。図４において、スポット７が当てられている領域の状態は、図７（Ａ）に示すように領域全部が消去状態である場合、図７（Ｂ）に示すように一部が消去状態であり、一部が記録状態である場合、図７（Ｃ）に示すように領域全部が記録状態である場合の３つの場合がある。ただし、図７（Ｂ）に示す一部が消去状態、一部が記録状態である場合は、消去状態の領域と記録状態の領域との比率は、一定ではなく、記録が行なわれた状況によって変化する。図７（Ａ）の場合の透過率をＴ１、図７（Ｂ）の場合の透過率をＴ２（Ｔ２は消去状態の領域と記録状態の領域との比率によって変化する。）、図７（Ｃ）の場合の透過率をＴ３とすれば、
Ｔ１＜Ｔ２＜Ｔ３
となる。


【手続補正５】
【補正対象書類名】明細書
【補正対象項目名】００１８
【補正方法】変更
【補正の内容】
【００１８】
【課題を解決するための手段】
請求項１に記載の発明は、２層以上の情報記録層を有する光情報記録媒体にレーザビームによって記録を行なう情報記録方法において、光情報記録媒体の前記レーザビームの入射側から第２層目以降の情報記録層の記録時に、レーザビームの戻り光を検出し、該戻り光の検出レベルによって、前記レーザビームの記録パワーを制御することを特徴とするものであり、請求項２に記載の発明は、２層以上であるｍ層の情報記録層を有する光情報記録媒体にレーザビームによって記録を行なう情報記録方法において、光情報記録媒体の前記レーザビームの入射側から第ｎ層目（ただし、２≦ｎ≦ｍ）の情報記録層の記録時に、レーザビームの戻り光を検出し、該戻り光の検出レベルと、第１層目から第（ｎ−１）層目までの情報記録層のレーザビームが透過するすべての部分が未記録状態である場合の記録レーザ光の最適な記録パワーによって、前記レーザビームの記録パワーを制御することを特徴とするものである。


【手続補正６】
【補正対象書類名】明細書
【補正対象項目名】００１９
【補正方法】変更
【補正の内容】
【００１９】
また、請求項１または２に記載の情報記録方法において、請求項３に記載の発明は、前記戻り光の検出レベルがピークレベルであることを特徴とするものであり、請求項４に記載の発明は、前記戻り光の検出レベルがボトムレベルであることを特徴とするものであり、請求項５に記載の発明は、前記戻り光の検出レベルが平均レベルであることを特徴とするものである。


【手続補正７】
【補正対象書類名】明細書
【補正対象項目名】００２０
【補正方法】変更
【補正の内容】
【００２０】
請求項６に記載の発明は、情報記録装置において、レーザ光源と、該レーザ光源から出射されたレーザビームを光情報記録媒体に照射する照射手段と、前記レーザビームの戻り光を検出する光検出手段と、制御部を有し、該制御部は、２層以上の情報記録層を有する光情報記録媒体の前記レーザビームの入射側から第２層目以降の情報記録層に記録を行なう際には、前記光検出手段の検出出力に基づいて、前記レーザビームの記録パワーを制御することを特徴とするものであり、請求項７に記載の発明は、情報記録装置において、レーザ光源と、該レーザ光源から出射されたレーザビームを光情報記録媒体に照射する照射手段と、前記レーザビーム戻り光を検出する光検出手段と、制御部を有し、該制御部は、２層以上であるｍ層の情報記録層を有する光情報記録媒体の前記レーザビームの入射側から第ｎ層目（ただし、２≦ｎ≦ｍ）の情報記録層に記録を行なう際には、前記光検出手段の検出出力と、第１層目から第（ｎ−１）層目までの情報記録層のレーザビームが透過するすべての部分が未記録状態である場合の記録レーザ光の最適な記録パワーに基づいて、前記レーザビームの記録パワーを制御することを特徴とするものである。


【手続補正８】
【補正対象書類名】明細書
【補正対象項目名】００２１
【補正方法】変更
【補正の内容】
【００２１】
また、請求項６または７に記載の情報記録装置において、請求項８に記載の発明は、前記光検出手段が、ピークレベルを検出するものであることを特徴とするものであり、請求項９に記載の発明は、前記光検出手段が、ボトムレベルを検出するものであることを特徴とするものであり、請求項１０に記載の発明は、前記光検出手段が、平均レベルを検出するものであることを特徴とするものである。